(57)【要約】【課題】本発明は、アクリル系構造体とＦＲＰ系と塩化ビニール系及び各構造体に於ける、球形型と平板に対応する、構造体の屋根面と内面、又は、ブロック側面とコンクリート床面の洗浄を行なう洗浄具を提供する。【解決手段】球形型構造体に於ける、半ダイヤ、クサリ式洗浄具と移動式散水装置を伸縮スライド式設置と収納具に於いて設置をした、又伸縮スライド式設置と収納具を終了時に於いた作業にも使用する、次に移動式、水槽付回転ロール架台を使い半ダイヤ、クサリ式洗浄具を回転ロールの作用により洗浄水を利用し洗浄工程となる。又同作業と共に行なう作業では構造体内面と側面と床面を同時進捗して洗浄する洗浄装置。【選択図】図１
2009113024.tif 000002
【特許請求の範囲】
【請求項１】
球形型構造体に於ける、半ダイヤ、クサリ式洗浄具と移動式散水装置を伸縮スライド式設置と収納具に於いて設置をした、又紳縮スライド式設置と収納具を終了時に於いた作業にも使用する。
次に移動式、水槽付回転ロール架台を使い半ダイヤ、クサリリ式洗浄具を回転ロールの作用により、洗浄水を利用し洗浄工程となる、又同作業と共に行なう作業では構造体内面と側面と床面を同時進捗して洗浄する洗浄装置。
【発明の詳細な説明】
【技術分野】
【０００１】  本発明は、アクリル系構造体とＦＲＰ系と塩化ビニール系に於ける、各構造体の球形型と平板に対応した、構造体の屋根面と内面又は側面と床面に於いた洗浄装置である。
【背景技術】
【０００２】  従来では、球形体に於ける、構造体をきれいにする洗浄としては、固定式な工具と柔軟式の工具類によって行なう洗浄作業がある、なお工具類と一諸に水道水とポンプなどを共用した方法があり、構造体に散水を行ない洗浄する方法である、又球形型の構造体では、高所が供ない高所作業の物件も多く確認された、この高さに於ける工具類の不安定な動がある。又不純物の除去と洗浄作業後に於ける残処理工程が発生する状態である。
【発明の開示】
【発明が解決しようとする課題】
【０００３】  その為に次の間題点があった。
球形型構造体では、太陽光の採光と日照を取込れた、高所に於ける球形型を使用する、構造体が多数見受けられた、この条態により固形物の除去に多くの労力と時間を必要とした、又この条件をより軽減する施工と時間又は仕様にそった仕上り状態を良効にする、研究開発を目的にした。
【課題を解決する為の手段】
【０００４】  本発明の課題とする、球形型構造体に於ける、高所での施工作業とする、条件を解決する事を目標とした、半ダイヤ、クサリ式洗浄具を移動式水槽付回転ロール架台え装着し回転状態を作成する、その上部に於ける移動式散水装置で洗浄水を散水する、この条件を作り固形物と不純物を除去する事になる、又作業前、作業中、作業終了時に使用する、伸縮スライド式設置と収納具を補助具として使用する、なお球形体に於ては奥迄の作業範囲が可能となり良効な施工を進捗した、又半ダイヤ、クサリ式洗浄具に於けた部品では、各部品の働きを独立した動きとなる、この状態を作成して球形体に密着した洗浄装置である。
【発明の効果】
【０００５】本発明は、球形型構造体を常に良効な状態にする方法を作成して進捗する事を目的にした。なお洗浄水と洗浄具に於いて施工する、又構造体屋根と内面にブロック側面とコンクリート床面を同時に洗浄する、なお球形体における半ダイヤ、クサリ式洗浄具によって洗浄工程を作成した、この課題と共に高所作業の軽減を求め対応する事である。
【発明を実施する為の最良の形態】
【０００６】  以下本発明を進捗する実施の形態を設明する。
本発明は、アクリル系とＦＲＰ系、それと塩化ビニール系並び各球形型構造体に於ける、球形型と平板に対応する洗浄装置。とした構造体の上部の屋根面と構造体内面の洗浄となる。又同一作業とする、ブロツクの側面にコンクリート床面を洗浄工程とした、なお球形型構造体では洗浄工具類の不安定状態を作らない方法となり、高所に於ける洗浄作業を軽減出来る洗浄装置である。
（イ）伸縮スライド式設置と収納具の斜視図、図３では、半ダイヤクサリ式洗浄具、図１−（１１）と移動式散水装置の移動部図１−（１９）に於ける、作業前、作業中、作業終了時使用する装置であり設置方法と収納作業の補助を進行させる。又伸縮スライド式設置と収納具ではユーイーシー部（３２）（３３）（３４）を働かせる装置である。
（ロ）移動式散水装置の移動部、図１−（１９）では、半ダイヤ、クサリ式洗浄具図１−（１１）に供給する、散水装置の洗浄水（１８）を散水装置の集合部（２１）え送水する。この次に散水部（２２）に於いて小舞させて散水する装置である。
（ハ）半ダイヤ、クサリ式洗浄具、図１−（１１）では、球形型構造体の屋根面を１周する、この状態を作り洗浄作業を行ない進捗する装置である。
（ニ）移動式水槽付回転ロール架台の本体、図１−（１）になり半ダイヤ、クサリ式の洗浄具、図１−（１１）を周回させる装置である。なお固定架台を用いない事になり、水槽部（２）と回転ロール部（３）に水を供給して固定作業とする装置である。
（ホ）なお一連の洗浄作業に置いた施工とする、構造体の内面（２３）とブロツクの側面（２７）にコンクリートの床面（２６）を同一時に於いてする作業となる。
又一連の施工作業に於けた高所での作業が有る、この課題とした高所作業の軽減を進捗させる装置である。
本発明は、以上の構成になっている。
（イ）に於ける本発明の詳細。
伸縮スライド式設置と収納具の斜視図、図３により、伸縮スライド式設置と収納具の本体（２８）に伸長部（２９）を装着する。固定部（３０）によって固定した、この伸長部に竪部に切込口（３１）を設ける。この形状により、雑水及び砂塵対策として対応する。なおこの条件としては、雑水、砂塵により伸長部の負荷対応とした。又伸縮スライド式設置と収納具の本体（２８）の先端に設けた、ユーイーシー部（３２）（３３）（３４）により作業を行なう働きとする。ユー部（３２）では、上部え半ダイヤ、クサリ式の洗浄具を設置する、イー部（３３）では上部え移動式散水装置の移動部（１９）に於ける、作業前、作業中、作業終了後の送り込みと収納作業をユーイーシー部（３２）（３３）（３４）を使用して進捗する事になりユーイーシー部（３２）（３３）（３４）では一平方とする構造にして併発作業にならない装置である。
（ロ）に於ける本発明の詳細。
移動式散水装置の移動部、図１−（１９）により移動式散水装置の洗浄水（１８）を移動式散水装置集合部（２１）に供給して散水部（２２）より散水する。この洗浄水は半ダイヤ、クサリ式洗浄具の洗浄水とした働きとなる。この状態に於いて移動式散水装置の移動部（１９）とガイド（２０）を使用して半ダイヤ、クサリ式洗浄具（１１）に移動式散水装置の洗浄水（１８）を散水する装置である。
（ハ）に於ける本発明の詳細
本発明の設置斜視図、図１−（１）と本発明の半ダイヤ、クサリ式洗浄具の正面図、図２になる構造とした。図２よりロープ部（１３）を両端に設ける、このロープ部（１３）に竪部（１４）に半ダイヤ部材を囲い込み固定する。次に竪部（１４）の上下に設けた接続部（１２）に横部（１６）と傾斜部（１５）を取付けて１升の形状を作成する。次に１升を加える事によりクサリ式の構造となる。なおクサリ式には、接続部（１２）に設けた、半ダイヤ部材の働きとして各個の仕事を行なう方法とする、この独立した働きを進捗して球形体に於ける密着性を作成する事になり良効な洗浄効率を高める必要とした。又半ダイヤ、クサリ式洗浄具（１１）を構造体屋根面（２４）を１周させ伸縮接続部（１７）で接続する、又半ダイヤ、クサリ式の洗浄具の斜視図（２５）を提供する事である。
（ニ）に於ける本発明の詳細。
本発明の設置斜視図、図１に於て、移動式水槽付回転ロール架台の本体（１）の水槽部（２）と回転ロール部（３）に水を供給する。この状態により架台の重量を作成した。この状態と共に本体に回転ローラの支持部（４）と回転ロール部（３）を設置する。なお回転ロール部（３）に回転ロールの手動部（６）と回転ロールの動力部（５）を設ける事になる。又移動式水槽付回転ロール補助部の本体（７）に補助部の回転ロール部（８）と補助部の水槽（９）と補助部の固定部（３５）を設けた。この課題を作成する事により半ダイヤ、クサリ式の洗浄具の働を進捗する装置である。
（ホ）に於ける本発明の詳細。
なお一連の洗浄施工では、構造体の内面（２３）とブロックの側面（２７）にコンクリート床面（２６）を同時に洗浄を行ない進捗する。又ここでは高圧水を使用する必要が発生する。なお球形体に於ては、構造体に高さが有り高所作業の軽減を作り良効な状態を提供する。
【図面の簡単な説明】
【００１３】
【図１】本発明の設置斜視図
【図２】本発明の半ダイヤ、クサリ式洗浄具の正面図
【図３】本発明の伸縮スライド式設置と収納具の斜視図
【符号の説明】
【００１４】１    移動式、水槽付の回転ロール架台の本体
２    水槽部
３    回転ロール部
４    回転ロールの支持部
５    回転ロールの動力部
６    回転ロールの手動部
７    移動式水槽付回転ロール架台の補助部本体
８    補助部の回転ロール部
９    補助部の水槽
１０  移動式水槽付回転ロール部架台の給水口
１１  半ダイヤ、クサリ式の洗浄具
１２  接続部
１３  ロープ部
１４  竪部
１５  傾斜部
１６  横部
１７  伸縮接続部
１８  移動式散水装置の洗浄部
１９  移動式散水装置の移動部
２０  ガイド
２１  移動式散水装置の集合部
２２  散水部
２３  構造体の内面
２４  構造体の屋根面
２５  半ダイヤ、クサリ式洗浄具の斜視図
２６  コンクリートの床面
２７  ブロックの側面
２８  伸縮スライド式設置と収納具の本体
２９  伸長部
３０  固定部
３１  伸長部の切込口
３２  ユー部
３３  イー部
３４  シー部
３５  補助部の固定部
【図１】
2009113024.tif 000003
【図２】
2009113024.tif 000004
【図３】
2009113024.tif 000005